(57)【要約】【課題】複数のエアバッグにより、それぞれ、柔軟さや快適さそして十分なサポート力を提供し、有効的にユーザーの疲労を低減でき、休息の効果が得られる複数のエアバッグを具備する空気充填式枕を提供する。【解決手段】第１のエアバッグの一側面に更に一つ以上の第２のエアバッグが増設された複数のエアバッグを有する空気充填式枕であり、ユーザーが個人の好みに応じて自在に第１のエアバッグの空気量を調整することにより、最も快適な圧力程度になり、また、第２のエアバッグにより、第１のエアバッグを空気を充填した後の高さ不足を調節することにより、確実にサポートでき、これにより、ユーザーは、有効的にリラックスして休息できる。【選択図】図２Ａ
0003129065.tif 000002
【実用新案登録請求の範囲】
【請求項１】
第１のエアバッグと、
前記第１のエアバッグの一側に設置される一つ以上の第２のエアバッグと、
前記第１のエアバッグと空気が流通できる状態で接する第１の空気ノズルと、
前記第２のエアバッグと空気が流通できる状態で接する一つ以上の第２の空気ノズルと、
を少なくとも具備することを特徴とする、
複数のエアバッグを具備する空気充填式枕。
【請求項２】
前記第１のエアバッグと第２のエアバッグは、ほぼＵ字形状を呈し、当該第１のエアバッグは、当該第２のエアバッグの外側を囲むように設置されることを特徴とする、請求項１に記載の複数のエアバッグを具備する空気充填式枕。
【請求項３】
前記第１のエアバッグと第２のエアバッグは、プラスチックやフロッキング加工されたプラスチック或いは布を張り合わせたプラスチックからなることを特徴とする、請求項１に記載の複数のエアバッグを具備する空気充填式枕。
【請求項４】
前記第２のエアバッグと空気が流通できる状態で接し、液体を充填、排出するための水栓を更に具備することを特徴とする、請求項１に記載の複数のエアバッグを具備する空気充填式枕。
【請求項５】
前記第２のエアバッグ内の液体温度が、５℃〜室温であることを特徴とする、請求項４に記載の複数のエアバッグを具備する空気充填式枕。
【請求項６】
前記第１のエアバッグと第２のエアバッグの外を覆うカバーを更に具備することを特徴とする、請求項１に記載の複数のエアバッグを具備した空気充填式枕。
【請求項７】
前記カバーは、吸湿性素材や超弾性複合発泡材、ポリエステル繊維、シリカゲル、ゴム、プラスチック材、羊毛、綿、麻或いは上記材料を二つ以上混合した材料からなることを特徴とする、請求項６に記載の複数のエアバッグを具備する空気充填式枕。
【考案の詳細な説明】
【技術分野】
【０００１】
本考案は、空気充填式枕に関し、特に、柔軟且つ快適で、サポート力に優れた複数のエアバッグを具備する空気充填式枕に関する。
【背景技術】
【０００２】
空気充填式枕は、気体を充填すると膨張し、気体を排出すると収縮する、体の一部を支える道具であり、携帯性と収納性に優れているという利点があり、幅広く使用されている。一般の空気充填式枕は、背もたれに使用すると腰痛の発生を低減でき、また、予め長時間に座ることによる猫背や不快適さを防止でき、また、ふくらはぎの下に当てると、脚の緊張をほぐす効果が得られ、そして、脚の疲労が取れ、また、枕として横になると、頭部や首を支えて、緊張を完全にほぐす効果が得られる。
【０００３】
また、ユーザーは、空気充填式枕の空気充填程度により、自在に硬さを決めることができ、空気充填式枕に空気を充填すると、硬くなり、逆に空気を排気すると、柔らかくなり、空気充填式枕の硬さは、ユーザーの休息や睡眠の質に大きく影響する。また、理想的なもたれ道具は、ある程度の柔軟さによりユーザーに快適な感覚を与えるが、ある程度のサポートによりユーザーへの圧力を負荷して、疲労を低減する。しかしながら、従来技術による空気充填式枕は、構造上の制限により、上記の効果が得られない。
【０００４】
図１は、従来技術による空気充填式枕の概念図である。空気充填式枕１０は、単一のエアバッグ１１から構成され、空気充填式枕１０に対して空気を充填すると、気体が、エアバッグ１１全体に分散されるため、局部の気圧を調整できず、使用する時、空気を充填しすぎることにより柔軟度が不足し、また、快適ではなく、或いは、空気充填が不十分であるため、空気充填式枕１０全体の形が崩れて、サポート力がなく、使用した後、疲労や痛みがひどくなるばかりで、休息効果が得られない。
【考案の開示】
【考案が解決しようとする課題】
【０００５】
本考案の主な目的は、複数のエアバッグにより、それぞれ、柔軟さや快適さそして十分なサポート力を提供し、有効的にユーザーの疲労を低減でき、休息の効果が得られる複数のエアバッグを具備する空気充填式枕を提供する。
【０００６】
本考案の他の目的は、首枕やベッドマットレス、椅子用クッション、背もたれパッド、抱き枕或いは枕に適用される理想的なもたれ道具で、ユーザーが、個人の必要に応じて、それぞれ、二つのエアバッグの空気量を調整でき、より快適且つよりリラックスできる複数のエアバッグを具備する空気充填式枕を提供する。
【０００７】
本考案の更なる目的は、複数のエアバッグの何れか一つに、例えば、水のような液体を注入して、液体により、吸熱や放熱の作用を補助して、ユーザーに涼しい感じを与える複数のエアバッグを具備する空気充填式枕を提供する。
【課題を解決するための手段】
【０００８】
本考案は、上記の目的を達成するため、主として、第１のエアバッグと一つ以上の第２のエアバッグが含有される複数のエアバッグを具備する空気充填式枕であり、該第１のエアバッグと第２のエアバッグが、それぞれ、第１の空気ノズルと第２の空気ノズルにより空気が充填され、該第１のエアバッグにより、ユーザーが、自在に空気量を決定することにより、個人感覚に合う快適な柔軟度を得、また、該第２のエアバッグにより、ユーザーの使用部位を支えるように、該第１のエアバッグの空気が不十分であることによるサポート力不足を調整して、完全に緊張をほぐす効果が得られる複数のエアバッグを具備する空気充填式枕である。
【０００９】
すなわち、本願の第1考案は、第１のエアバッグと、前記第１のエアバッグの一側に設置される一つ以上の第２のエアバッグと、前記第１のエアバッグと空気が流通できる状態で接する第１の空気ノズルと、前記第２のエアバッグと空気が流通できる状態で接する一つ以上の第２の空気ノズルと、を少なくとも具備することを特徴とする、
複数のエアバッグを具備する空気充填式枕であることを要旨としている。
【００１０】
また、本願の第２考案は、前記第１のエアバッグと第２のエアバッグは、ほぼＵ字形状を呈し、当該第１のエアバッグは、当該第２のエアバッグの外側を囲むように設置されることを特徴とする、本願の第1考案に記載の複数のエアバッグを具備する空気充填式枕であることを要旨としている。
【００１１】
また、本願の第３考案は、前記第１のエアバッグと第２のエアバッグは、プラスチックやフロッキング加工されたプラスチック或いはプラスチックを張り合わせた布等からなることを特徴とする、本願の第1考案に記載の複数のエアバッグを具備する空気充填式枕であることを要旨としている。
【００１２】
また、本願の第４考案は、前記第２のエアバッグと空気が流通できる状態で接し、液体を充填、排出するための水栓を更に具備することを特徴とする、本願の第1考案に記載の複数のエアバッグを具備する空気充填式枕であることを要旨としている。
【００１３】
また、本願の第５考案は、前記第２のエアバッグ内の液体温度が、５℃〜室温であることを特徴とする、本願の第４考案に記載の複数のエアバッグを具備する空気充填式枕であることを要旨としている。
【００１４】
また、本願の第６考案は、前記第１のエアバッグと第２のエアバッグの外を覆うカバーを更に具備することを特徴とする、本願の第1考案に記載の複数のエアバッグを具備した空気充填式枕であることを要旨としている。
【００１５】
また、本願の第７考案は、前記カバーは、吸湿性素材や超弾性複合発泡材、ポリエステル繊維、シリカゲル、ゴム、プラスチック材、羊毛、綿、麻或いは上記材料を二つ以上混合した材料からなることを特徴とする、本願の第６考案に記載の複数のエアバッグを具備する空気充填式枕であることを要旨としている。
【考案の効果】
【００１６】
本考案に係る複数のエアバッグを具備する空気充填式枕によれば、首枕やベッドマットレス、椅子用クッション、背もたれパッド、抱き枕或いは枕に適用でき、自在に二つのエアバッグの空気量を調整することにより、個人にとって、最大の快適さそして最大のリラックス感が得られる。
【００１７】
また、本考案に係る複数のエアバッグを具備する空気充填式枕によれば、該第２のエアバッグに、更に水栓を増設することも可能で、例えば、水のような液体を該第２のエアバッグに注入することにより、液体によって温度が伝達されて、吸熱や放熱の作用が向上され、また、簡単に空気充填式枕の硬さを変更でき、より涼しくそして快適的な感覚が得られる。
【考案を実施するための最良の形態】
【００１８】
以下、図面を参照しながら、より良い実施例を挙げて、本考案の特長や技術内容について、詳しく説明する。
【００１９】
本考案に係る複数のエアバッグを具備する空気充填式枕は、首枕や抱き枕、背もたれパッド、枕、椅子用クッション或いはベッドマットレスに適用できる。本考案は、首枕を例として説明する。まず、図２Ａと２Ｂは、それぞれ、本考案の一実施例の複数のエアバッグを具備する空気充填式枕の平面図と図２Ａの線ＡＡの断面図である。図のように、本実施例は、Ｕ文字状（Ｕ字形状）である首枕を例として説明するが、円筒型や動物造型或いは多辺形等でもよく、上記の形状の変更や修正は、全てが、本考案の実用新案登録請求の範囲内に含まれる。
【００２０】
本実施例において、複数のエアバッグを具備する空気充填式枕２０は、第１のエアバッグ３０と第２のエアバッグ４０が含有され、図のように、複数のエアバッグを具備する空気充填式枕２０は、Ｕ文字状の首枕であり、第１のエアバッグ３０が、外側に位置し、第２のエアバッグ４０が、内側に位置し、各エアバッグは、一つの空気ノズルが含有され、即ち、第１のエアバッグ３０は、第１の空気ノズル３１が含有され、第２のエアバッグ４０は、第２の空気ノズル４１が含有される。
【００２１】
第１の空気ノズル３１と第２の空気ノズル４１で、それぞれ、第１のエアバッグ３０と第２のエアバッグ４０に対して空気充填や排気ができ、ユーザーは、第１のエアバッグ３０により、自在に空気量を決定することにより、個人感覚に合う快適な柔軟度になり、また、第２のエアバッグ４０により、第１のエアバッグ３０の空気が不十分であることによるもたれるのに必要な高さの不足を補い、第２のエアバッグ４０に対して空気を充填することにより、ユーザーの頚部を支え、そして、ユーザーの頭が最も快適な高さに位置し、頚部が痛くならず、良質の休息や睡眠が得られる。
【００２２】
図３Ａ〜３Ｄは、それぞれ、本考案の実施例である複数のエアバッグを具備する空気充填式枕の使用状態概念図である。まず、図３Ａのように、第２の空気ノズル４１で第２のエアバッグ４０に空気を充填し、第２のエアバッグ４０は、個人の肩や首がもたれられる高さに膨張し、また、図３Ｂのように、第１の空気ノズル３１で第１のエアバッグ３０に空気を充填すると、図３Ｃのように、ユーザー５０の頸に使用でき、これにより、頚部は、第２のエアバッグ４０によって、左右に揺れないように支えられ、また、個人の好みの柔軟度に合わせて第１のエアバッグ３０の空気量を調整することにより、最も柔軟且つ快適になり、図３Ｄのようになる。
【００２３】
使用する時、ユーザーは、自在に第１のエアバッグ３０と第２のエアバッグ４０の空気量を決定でき、また、自在に当該複数のエアバッグを具備する空気充填式枕２０の使用方式を決定でき、そのため、個人の最も快適な感覚とリラックス感が得られる。以上は、ただ、本考案の目的や効果は、それによって制限されることがない。
【００２４】
また、本実施例の複数のエアバッグを具備する空気充填式枕２０の第１のエアバッグ３０と第２のエアバッグ４０は、プラスチックやフロッキング加工されたプラスチック（プラスチックフロッキング）或いはプラスチック張合い布（布を張り合わせたプラスチック）等からなる。また、第２のエアバッグ４０が、プラスチックの防水素材からなる場合、図４のように、第２のエアバッグ４０に水栓４２を増設することにより、水栓４２で例えば、水の液体を注入でき、水の温度範囲は、５℃〜室温であり、これにより、吸熱や放熱作用が向上されて、ユーザーにより涼しく、そして、より快適な感じを与える。
【００２５】
また、図５を参照しながら、複数のエアバッグを具備する空気充填式枕２０は、より柔軟且つ快適にするため、第１のエアバッグと第２のエアバッグの外側をカバー６０で覆っても良く、当該カバー６０の形状は、第１のエアバッグと第２のエアバッグの形状に合わせて変化し、また、当該カバー６０の側面に、ファスナー６１を設置しても良く、これにより、着脱が便利になり、いつでも交換できるため、衛生的である。
また、前記カバー６０は、快適且つ柔軟な材料からなり、例えば、吸湿性素材や超弾性複合発泡材、ポリエステル繊維、シリカゲル、ゴム、プラスチック材、羊毛、綿、麻のいずれか、或いは上記材料を二つ以上混合した各種類の材料である。
【００２６】
上記の実施例において、一つの第２のエアバッグを増設して第１のエアバッグの高さ不足を補うが、実用上、一つ以上のエアバッグを増設しても良く、例えば、第３のエアバッグと第４のエアバッグを、それぞれ、第１のエアバッグの側面と第２のエアバッグの側面に増設することにより、支持の効果が遥かに向上される。
【００２７】
図６〜８は、本考案の実施例の三つのエアバッグを有する複数のエアバッグを具備する空気充填式枕の側面図である。図のように、該複数のエアバッグを具備する空気充填式枕７０は、第１のエアバッグ３０と第２のエアバッグ４０及び第３のエアバッグ８０が含有され、また、図６〜８は、それぞれ、第１のエアバッグ３０だけに空気を充填する時、第１のエアバッグ３０と第２のエアバッグ４０に空気を充填する時、全部のエアバッグに空気を充填する時の側面概念図であり、第１のエアバッグ３０は、柔軟快適度を調整するものであり、第２のエアバッグ４０と第３のエアバッグ８０は、第１のエアバッグ３０の高さ不足を調整する。
使用する場合、個人の好みに合わせて第１のエアバッグ３０の空気量を調整して最適な柔軟度を得ることができ、また、第２のエアバッグ４０か第３のエアバッグ８０かの一つを選択して第１のエアバッグ３０と一緒に使用すること、また、第２のエアバッグ４０と第３のエアバッグ８０及び第１のエアバッグ３０を一緒に使用すること、或いは、第１のエアバッグ３０だけを使用することができる。第１のエアバッグ３０だけを使用する時、空気量は、一般として、６０％〜８０％が好ましく、同時に第１のエアバッグ３０と第２のエアバッグ４０或いは第３のエアバッグ８０とを使用する時、第１のエアバッグ３０の空気量は、完全に、個人の好みの柔軟度に合わせ、一般として、３０％〜６０％が好ましく、また、第２のエアバッグ４０か第３のエアバッグ８０の空気量は、一般として、８０〜９０％が好ましい。以上は、ただ、本考案のより良い実施例であり、本考案は、それによって制限されることがない。本考案に係る実用新案登録請求の範囲や明細書の内容に基づいて行う等価の変更や修正は、全てが、本考案の実用新案登録請求の範囲内に含まれる。
【図面の簡単な説明】
【００２８】
【図１】従来技術の空気充填式枕の概念図
【図２Ａ】本考案の実施例の複数のエアバッグを具備する空気充填式枕の平面図
【図２Ｂ】本考案の図２Ａの断面線ＡＡの断面図
【図３Ａ】本考案の実施例の複数のエアバッグを具備する空気充填式枕の使用状態概念図
【図３Ｂ】本考案の実施例の複数のエアバッグを具備する空気充填式枕の使用状態概念図
【図３Ｃ】本考案の実施例の複数のエアバッグを具備する空気充填式枕の使用状態概念図
【図３Ｄ】本考案の実施例の複数のエアバッグを具備する空気充填式枕の使用状態概念図
【図４】本考案の実施例の水栓を有する複数のエアバッグを具備する空気充填式枕の概念図
【図５】本考案の実施例のカバーを有する複数のエアバッグを具備する空気充填式枕の概念図
【図６】本考案の実施例の三つのエアバッグを有する複数のエアバッグを具備する空気充填式枕の側面図と使用状態図
【図７】本考案の実施例の三つのエアバッグを有する複数のエアバッグを具備する空気充填式枕の側面図と使用状態図
【図８】本考案の実施例の三つのエアバッグを有する複数のエアバッグを具備する空気充填式枕の側面図と使用状態図
【符号の説明】
【００２９】
１０    空気充填式枕
１１    エアバッグ
２０    複数のエアバッグを具備する空気充填式枕
３０    第１のエアバッグ
３１    第１の空気ノズル
４０    第２のエアバッグ
４１    第２の空気ノズル
４２    水栓
５０    ユーザー
６０    カバー
６１    ファスナー
７０    複数のエアバッグを具備する空気充填式枕
８０    第３のエアバッグ
【図１】
0003129065.tif 000003
【図２Ａ】
0003129065.tif 000004
【図２Ｂ】
0003129065.tif 000005
【図３Ａ】
0003129065.tif 000006
【図３Ｂ】
0003129065.tif 000007
【図３Ｃ】
0003129065.tif 000008
【図３Ｄ】
0003129065.tif 000009
【図４】
0003129065.tif 000010
【図５】
0003129065.tif 000011
【図６】
0003129065.tif 000012
【図７】
0003129065.tif 000013
【図８】
0003129065.tif 000014